(57)【特許請求の範囲】
【請求項１】
一端面に端子を挿入するための各端子収容室の開口を有すると共に、前記一端面の両側縁に、該一端面に沿って延びる一対の第１レールを有したコネクタハウジングと、
前記各端子収容室に挿入された端子と、
両側縁に、前記コネクタハウジングの第１レールにスライド自在に係合し、係合することで前記一端面と直交する方向への離脱を阻止される第２レールを有し、前記第１レールに対し前記第２レールを係合した状態でスライドされることで、前記コネクタハウジングの一端面上の適正装着位置に装着され、それにより前記端子の前記開口からの抜けを阻止する端子ホルダと、を備え、
前記端子ホルダは、両側縁に前記第２レールを有する板状のホルダ本体と、該ホルダ本体と前記コネクタハウジングの一端面との間に位置するように前記ホルダ本体に一体に形成されると共に、前記一端面と直交する方向に撓み自在とされ、且つ、前記ホルダ本体をコネクタハウジングの一端面上の適正装着位置へ向けてスライドさせたときに、前記コネクタハウジング側のロック部とロックすることで、前記ホルダ本体のスライド方向への抜けを阻止するロックアームと、を有し、
前記ロックアームに、前記各端子収容室に挿入された端子の一端を押える端子押えリブが設けられていることを特徴とする端子ホルダ付きコネクタ。
【請求項２】
請求項１に記載の端子ホルダ付きコネクタであって、
前記端子押えリブに、前記端子ホルダを前記コネクタハウジングの一端面上の適正装着位置へ向けてスライドさせたときに、前記端子収容室の開口から突出した前記端子の端部に摺動することで、該端子を端子収容室の内部に向けて押し込む斜めの端子拾い面が設けられていることを特徴とする端子ホルダ付きコネクタ。
【請求項３】
請求項１に記載の端子ホルダ付きコネクタであって、
前記端子として、両側から相手オス端子を受け入れ可能なメス−メス端子が設けられ、前記コネクタハウジングの他端側に、前記各端子収容室内に挿入された前記端子に対して他端側から嵌合する相手オス端子の他端側挿入孔が設けられると共に、前記コネクタハウジングの一端側に装着された前記端子ホルダに、前記各端子収容室内に挿入された端子に対して一端側から嵌合する相手オス端子の一端側挿入孔が設けられ、前記端子押えリブが、前記一端側挿入孔を避けた位置に設けられていることを特徴とする端子ホルダ付きコネクタ。
【発明の詳細な説明】
【技術分野】
【０００１】
本発明は、コネクタハウジングの一端に、コネクタハウジングの端子収容室内に挿入された端子の抜けを阻止する端子ホルダの付いた端子ホルダ付きコネクタに関するものである。
【背景技術】
【０００２】
図１１は、例えば、特許文献１に記載された従来の端子ホルダ付きコネクタの一例を示す斜視図である。
【０００３】
この端子ホルダ付きコネクタは、後端面１１１に各端子収容室１１５の開口を有したコネクタハウジング１１０と、各端子収容室１１５に挿入された図示しない端子と、端子を挿入した後でコネクタハウジング１１０の後端面１１１に装着されることで端子の抜けを阻止する電線挿通部１３５付きの板状のリヤホルダ（端子ホルダ）１３０とから構成されている。
【０００４】
コネクタハウジング１１０の後端周縁には枠部１１２が起立形成され、枠部１１２の内側にリヤホルダ１３０の厚さ方向の下半分が収容されるようになっており、リヤホルダ１３０が収容された状態で、枠部１１２に形成された係止孔１１８にリヤホルダ１３０の外周に形成された係止突起１３８が係合することで、リヤホルダ１３０がロックされるようになっている。なお、リヤホルダ１３０の外周面の上半部には、係止孔１１８とは別に解除治具を挿入するための解除孔１３７が設けられている。
【特許文献１】特開平７−２４５１４０号公報
【発明の開示】
【発明が解決しようとする課題】
【０００５】
ところで、図１１に示した端子ホルダ付きコネクタは、リヤホルダ１３０の離脱防止を、コネクタハウジング側の係止孔１１８とリヤホルダ１３０側の係止突起１３８の係合により行っているだけであり、その係合力により複数の端子を抜けないように押えているので、端子保持力が弱いという問題がある。一方、保持力を上げるために、係合力を強くすることが考えられるが、そうすると、こんどはリヤホルダ１３０を挿入する際の挿入力が大きくなるため、あまり保持力を上げられないという事情がある。
【０００６】
また、係止孔１１８に対し係止突起１３８を無理嵌めすることで、リヤホルダ１３０をコネクタハウジング１１０にロックする構造になっているため、一度ロックさせると、取り外しの際に係止孔１１８や係止突起１３８を傷めてしまうおそれがあり、リヤホルダ１３０の使い回しが難しいという問題もある。
【０００７】
更に、リヤホルダ１３０の裏面を端子に当てることで端子を抜け止めしているので、リヤホルダ１３０と端子の間にいったん隙間ができると、振動により端子のガタつきを生じやすいという問題もある。
【０００８】
本発明は、上記事情を考慮し、端子ホルダにより高い端子保持力を発揮することができると共に、端子ホルダの使い回しが容易にでき、また、端子のガタつきを防止することのできる端子ホルダ付きコネクタを提供することを目的とする。
【課題を解決するための手段】
【０００９】
請求項１の発明の端子ホルダ付きコネクタは、一端面に端子を挿入するための各端子収容室の開口を有すると共に、前記一端面の両側縁に、該一端面に沿って延びる一対の第１レールを有したコネクタハウジングと、前記各端子収容室に挿入された端子と、両側縁に、前記コネクタハウジングの第１レールにスライド自在に係合し、係合することで前記一端面と直交する方向への離脱を阻止される第２レールを有し、前記第１レールに対し前記第２レールを係合した状態でスライドされることで、前記コネクタハウジングの一端面上の適正装着位置に装着され、それにより前記端子の前記開口からの抜けを阻止する端子ホルダと、を備え、前記端子ホルダは、両側縁に前記第２レールを有する板状のホルダ本体と、該ホルダ本体と前記コネクタハウジングの一端面との間に位置するように前記ホルダ本体に一体に形成されると共に、前記一端面と直交する方向に撓み自在とされ、且つ、前記ホルダ本体をコネクタハウジングの一端面上の適正装着位置へ向けてスライドさせたときに、前記コネクタハウジング側のロック部とロックすることで、前記ホルダ本体のスライド方向への抜けを阻止するロックアームと、を有し、前記ロックアームに、前記各端子収容室に挿入された端子の一端を押える端子押えリブが設けられていることを特徴としている。
【００１０】
請求項２の発明は、請求項１に記載の端子ホルダ付きコネクタであって、前記端子押えリブに、前記端子ホルダを前記コネクタハウジングの一端面上の適正装着位置へ向けてスライドさせたときに、前記端子収容室の開口から突出した前記端子の端部に摺動することで、該端子を端子収容室の内部に向けて押し込む斜めの端子拾い面が設けられていることを特徴とする。
【００１１】
請求項３の発明は、請求項１に記載の端子ホルダ付きコネクタであって、前記端子として、両側から相手オス端子を受け入れ可能なメス−メス端子が設けられ、前記コネクタハウジングの他端側に、前記各端子収容室内に挿入された前記端子に対して他端側から嵌合する相手オス端子の他端側挿入孔が設けられると共に、前記コネクタハウジングの一端側に装着された前記端子ホルダに、前記各端子収容室内に挿入された端子に対して一端側から嵌合する相手オス端子の一端側挿入孔が設けられ、前記端子押えリブが、前記一端側挿入孔を避けた位置に設けられていることを特徴としている。
【発明の効果】
【００１２】
請求項１の発明によれば、端子ホルダの端子抜け方向における離脱防止を、コネクタハウジング側の第１レールに端子ホルダ側の第２レールを係合させ、その状態で端子ホルダを端子の挿入方向と直交する方向にスライドさせることで行っているので、端子に対する保持力を高めることができる。また、端子ホルダに設けた可撓性のロックアームの押えリブにより端子を押えるようにしているので、振動による端子のガタつきを防止することができる。
【００１３】
また、端子ホルダの端子抜け方向における離脱防止をレールの係合によって行い、端子ホルダのスライド方向の抜け防止をロックアームで行っており、ロックアームの係合部分に、端子抜け方向の力がかからないようにしているので、端子ホルダの挿脱に伴うロックアームの係合部分の損傷をほとんど無くすことができ、端子ホルダの使い回しが容易にできるようになる。
【００１４】
請求項２の発明によれば、端子をコネクタハウジングの端子収容室に挿入した際に、端子の一端が十分に端子収容室の内部に入っていない中途挿入状態のときでも、端子ホルダをコネクタハウジングに装着するためにスライドさせることにより、端子押えリブの拾い面により端子を押し込むことができるので、端子ホルダをコネクタハウジングに装着するだけで、端子の中途挿入状態の解消を図ることができる。
【００１５】
請求項３の発明によれば、コネクタハウジングの端子収容室に収容したメス−メス端子の両側から相手オス端子を挿入することができるので、中継コネクタとして使用することができる。
【発明を実施するための最良の形態】
【００１６】
以下、本発明の実施形態を図面を参照して説明する。
【００１７】
図１は実施形態の端子ホルダ付きコネクタの端子ホルダを装着する前の状態を示す斜視図、図２は端子ホルダをコネクタハウジングに装着している状態を示す図で、図２（ａ）は装着途中の状態を示す斜視図、図２（ｂ）は装着完了時の状態を示す斜視図、図３は端子ホルダ単品の構成を示す斜視図、図４は端子ホルダの上面側の構成を示す平面図、図５は端子ホルダの下面側の構成を示す平面図、図６は図４のＶＩ−ＶＩ矢視断面図、図７は図４のＶＩＩ−ＶＩＩ矢視断面図、図８は端子ホルダの装着途中の状態を示す要部の断面図、図９は端子ホルダの装着完了時の状態を示す要部の断面図、図１０は端子ホルダを装着した状態を端子ホルダのスライド方向から見た断面図である。
【００１８】
この端子ホルダ付きコネクタは、合成樹脂製のコネクタハウジング１０および端子ホルダ３０と、金属製の端子５０、５１（図１０参照）と、から構成されている。
【００１９】
図１に示すように、コネクタハウジング１０は、略矩形状の一端面１１に、端子を挿入するための各端子収容室１４、１５の開口を有すると共に、一端面１１の周縁に、起立した平面視コ字状の枠部１２を有し、コ字状の枠部１２の互いに平行な辺部（一端面の両側縁に相当）に、コネクタハウジング１０の一端面１１に沿って延びる一対の第１レール１３、１３を有したものである。
【００２０】
端子５０、５１は、図１０に示すように、各端子収容室１４、１５の内部に、前記一端面１１の開口から挿入されており、各端子収容室１４、１５の奥壁により、挿入方向先方側に対して位置決めされている。この場合の端子５０、５１は、両側から相手オス端子５５を受け入れ可能なメス−メス端子であり、コネクタハウジング１０の他端側には、各端子収容室１４、１５内に挿入された端子５０、５１に対して他端側から嵌合する相手オス端子５５の他端側挿入孔（図示略）が設けられている。
【００２１】
なお、端子収容室１４、１５内には、図１０中の二点鎖線で囲んだ部分Ｎで示すように、端子５０、５１を係止するランスが設けられていず、端子５０、５１は抜け方向に自由に移動できるようになっている。また、ランスが設けられていないことにより、端子収容室１４、１５の内壁の形状は非常に単純化されている。
【００２２】
図１、図２に示すように、端子ホルダ３０は、コネクタハウジング１０の一端面１１に対し、該一端面１１と平行な方向、即ち、コネクタハウジング１０の軸線方向と直交する横方向から装着されるものであり、両側縁に、コネクタハウジング１０の第１レール１３にスライド自在に係合する第２レール３３を有している。この第２レール３３は、コネクタハウジング１０側の第１レール１３に係合することで、コネクタハウジング１０の一端面１１と直交する方向（端子抜け方向）への端子ホルダ３０の離脱を阻止することができるように構成されている。
【００２３】
そして、端子ホルダ３０側の第２レール３３をコネクタハウジング１０側の第１レール１３に係合した状態で、図１中の矢印Ｙ方向に端子ホルダ３０をスライドさせることにより、コネクタハウジング１０の一端面１１上の適正装着位置に端子ホルダ３０を装着することができ、それにより、端子ホルダ３０によって、端子５０、５１の開口からの抜けを阻止できるようになっている。
【００２４】
端子ホルダ３０は、図３〜図９に示すように、両側縁に前記第２レール３３を有する矩形板状のホルダ本体３１と、このホルダ本体３１とコネクタハウジング１０の一端面１１との間に位置するようにホルダ本体３１と一体に形成された矩形板状のロックアーム３２とを有している。ロックアーム３２は、図７に示すように、ホルダ本体３１に基端３２ａが連結されることで、その基端を支点にして、コネクタハウジングの一端面１１と直交する方向に撓み自在とされている。
【００２５】
ロックアーム３２の自由端側には、第１、第２レール１３、３３を互いに係合させた状態で、ホルダ本体３１をコネクタハウジング１０の一端面１１上の適正装着位置へ向けてスライドさせたときに、コネクタハウジング１０側のロック突起（ロック部）１８と係合することで、ホルダ本体３１のスライド方向への抜けを阻止するロック突起３８が設けられている。
【００２６】
また、ロックアーム３２の下面には、各端子収容室１４、１５に挿入された端子５０、５１の一端を押える端子押えリブ３６、３７が端子収容室１４、１５の存在する位置に対応させて複数突設されている。各端子押えリブ３６、３７には、端子５０、５１の一端に当接して端子５０、５１を押える押え面３６ａ、３７ａと、図８に示すように、端子ホルダ３０をコネクタハウジング１０の一端面上の適正装着位置へ向けてスライドさせたときに、端子収容室１５（１４）の開口から突出した端子５０（５１）の端部に摺動することで、端子５０（５１）を端子収容室１５（１４）の内部に向けて押し込む斜めの端子拾い面３６ｂ、３７ｂが設けられている。
【００２７】
また、端子ホルダ３０には、各端子収容室１４、１５内に挿入された端子５０、５１に対して一端側から嵌合する相手オス端子の一端側挿入孔３４、３５が設けられている。ロックアーム３２の端子押えリブ３６、３７は、これら一端側挿入孔３４、３５を避けた位置に設けられている。
【００２８】
次に作用を説明する。
【００２９】
このコネクタを組み立てる場合には、まず、コネクタハウジング１０の一端面１１に設けられた開口から各端子収容室１４、１５に端子５０、５１を挿入する。次いで、端子ホルダ３０の両側縁の第２レール３３をコネクタハウジング１０側の第１レール１３に係合させて、その状態で、図２に示すように、端子ホルダ３０をスライドさせる。適正装着位置までスライドさせる。そうすると、ロックアーム３２のロック突起３８が、コネクタハウジング１０側のロック突起１８を乗り越えて係合し、端子ホルダ３０がスライド方向に抜け止めされ、組み立てが完了する。
【００３０】
この状態において、ロックアーム３２に設けた端子押えリブ３６、３７の押え面３６ａ、３７ａが、図９、図１０に示すように、端子５０、５１の一端を押え付けるので、端子５０、５１を確実に抜け止めすることができる。
【００３１】
また、端子ホルダ３０をスライドさせる操作途中において、図８に示すように、端子５０の一端が開口から若干突き出している場合には、スライド操作に応じて端子押えリブ３６、３７の拾い面３６ｂ、３７ｂが端子５０、５１を端子収容室１４、１５の内部へ押し込む。
【００３２】
以上のように、本実施形態の端子ホルダ付きコネクタによれば、端子ホルダ３０の端子抜け方向における離脱防止を、コネクタハウジング１０側の第１レール１３に端子ホルダ３０側の第２レール３３を係合させ、その状態で端子ホルダ３０を端子５０、５１の挿入方向と直交する方向にスライドさせることで行っているので、端子５０、５１に対する保持力を高めることができる。
【００３３】
また、端子ホルダ３０に設けた可撓性のロックアーム３２の端子押えリブ３６、３７によって端子５０、５１を押えるようにしているので、振動による端子５０、５１のガタつきを防止することができる。
【００３４】
また、端子５０、５１をコネクタハウジング１０の端子収容室１４、１５に挿入した際に、端子５０、５１の一端が十分に端子収容室１４、１５の内部に入っていない中途挿入状態のときでも、端子ホルダ３０をコネクタハウジング１０に装着するためにスライドさせることにより、端子押えリブ３６、３７の拾い面３６ａ、３７ａにより端子５０、５１を端子収容室１４、１５内に押し込むことができるので、端子ホルダ３０をコネクタハウジング１０に装着するだけで、端子５０、５１の中途挿入状態の解消を図ることができる。
【００３５】
また、端子ホルダ３０の端子抜け方向における離脱防止をレール１３、３３の係合によって行い、端子ホルダ３０のスライド方向の抜け防止をロックアーム３２で行っており、ロックアーム３２の係合部分（ロック突起１８、３８）に、端子抜け方向の力がかからないようにしているので、端子ホルダ３０の挿脱に伴うロックアーム３２の係合部分の損傷をほとんど無くすことができ、端子ホルダ３０の使い回しが容易にできるようになる。
【００３６】
また、コネクタハウジング１０の端子収容室１４、１５に収容した端子（メス−メス端子）５０、５１の両側から相手オス端子５５を挿入することができるので、中継コネクタとして使用することができる。
【図面の簡単な説明】
【００３７】
【図１】本発明の実施形態の端子ホルダ付きコネクタの端子ホルダを装着する前の状態を示す斜視図である。
【図２】端子ホルダをコネクタハウジングに装着している状態を示す図で、（ａ）は装着途中の状態を示す斜視図、（ｂ）は装着完了時の状態を示す斜視図である。
【図３】端子ホルダ単品の構成を示す斜視図である。
【図４】端子ホルダの上面側の構成を示す平面図である。
【図５】端子ホルダの下面側の構成を示す平面図である。
【図６】図４のＶＩ−ＶＩ矢視断面図である。
【図７】図４のＶＩＩ−ＶＩＩ矢視断面図である。
【図８】端子ホルダの装着途中の状態を示す要部の断面図である。
【図９】端子ホルダの装着完了時の状態を示す要部の断面図である。
【図１０】端子ホルダを装着した状態を端子ホルダのスライド方向から見た断面図である。
【図１１】従来の端子ホルダ付きコネクタの構成を示す斜視図である。
【符号の説明】
【００３８】
１０  コネクタハウジング
１１  一端面
１３  第１レール
１４，１５  端子収容室
１８  ロック突起（ロック部）
３０  端子ホルダ
３１  ホルダ本体
３２  ロックアーム
３３  第２レール
３４，３５  一端側挿入孔
３６，３７  端子押えリブ
３６ｂ，３７ｂ  拾い面
５０，５１  端子
５５  相手オス端子
【図１】
0004991603.tif 000002
【図２】
0004991603.tif 000003
【図３】
0004991603.tif 000004
【図４】
0004991603.tif 000005
【図５】
0004991603.tif 000006
【図６】
0004991603.tif 000007
【図７】
0004991603.tif 000008
【図８】
0004991603.tif 000009
【図９】
0004991603.tif 000010
【図１０】
0004991603.tif 000011
【図１１】
0004991603.tif 000012